(57)【特許請求の範囲】
【請求項１】
足で踏みつけるための踏付板と、
パイプレンチの柄を支持するための支持部と、を備え、
該支持部は、前記踏付板を踏み付けた際、支持する前記パイプレンチが地面に接触しない角度で固定されている
ことを特徴とするパイプレンチ用スタンド。
【請求項２】
請求項１において、
前記角度が調整可能とされている
ことを特徴とするパイプレンチ用スタンド。
【請求項３】
請求項１又は２において、
前記支持部は、前記パイプレンチの柄の長さの略半分の位置まで差し込むことができる中空部材で構成されている
ことを特徴とするパイプレンチ用スタンド。
【発明の詳細な説明】
【技術分野】
【０００１】
本発明は、パイプレンチの技術分野に関する。
【背景技術】
【０００２】
配管作業を行う際、特許文献１に記載されているようなパイプレンチが広く用いられている。当該文献記載のパイプレンチと略同じ構造のパイプレンチを図４に示している。
【０００３】
図４に示すパイプレンチ１は、作業員が把持する柄３の前方に一体成形された本体部２と、当該本体部２の先端に交換可能に取り付けられた本体刃４と、本体部２に対して回動支持ピン１０で軸支された顎支持部５と、当該顎支持部５に対して取り付けられた略Ｌ字形の顎部６を備える。顎部６の根元にはネジ溝８が形成されており、これに螺合する顎位置調整ネジ９を回転させると、顎部６が顎支持部５に対して前後に（図４においては左右方向に）スライドするように構成されている。また顎部６の先端側には顎刃７が形成されており、当該顎刃７と本体刃４とで管（パイプ）を挟むことができる。
【０００４】
本体部２と顎支持部５との間には付勢部材（図示していない）が内蔵されていて、常時、顎支持部５を回動支持ピン１０を軸心としてα方向に付勢している。即ち、本体刃４と顎刃７が閉じる方向に付勢されている。また、顎部６の根元を本体部２の方向に近づけるように力を加えると（例えば握ると）、顎支持部５は回動支持ピン１０を軸心としてβ方向に僅かに回動する。即ち、本体刃４と顎刃７とが開く方向に回動する。このような構成は、管をしっかりと挟持することができると共に、パイプレンチ１で管を挟んだり取り外したりする際に本体刃４と顎刃７との間隔を僅かに広げて作業性を向上させる等の目的のためである。
【０００５】
上記パイプレンチ１は配管作業の様々な場面で利用されるが、例えば図５に示しているように、管２０を挟んだパイプレンチ１の柄３の部分を足で踏んで固定し、その挟んだ管２０に対して他の管を接続したり、取り外すという使い方がされる場合がある。
【先行技術文献】
【特許文献】
【０００６】
【特許文献１】実開平６−２１８５６号公報
【発明の概要】
【発明が解決しようとする課題】
【０００７】
しかしながら、図５に示したような使い方をした場合、顎部６の根元が地面に接触するので、挟持する管２０の自重も手伝って、顎支持部５が回動し、顎部６が開いてしまう。そうすると管２０を強く挟持できなくなることから、例えば、管２０に対して他の管をねじ込んで接続しようとしても管２０自体が回転してしまう。また、顎６が開いて管２０を挟持出来なくなると、柄３を踏む足が不安定となり、パイプレンチ１自体が管２０から外れて倒れてしまうといった問題もある。特に未だ配管作業の技術に乏しい作業員にとっては難しい作業となる。
【０００８】
確かに万力を備えた作業台などを利用すればこのような作業は特に問題なく行えるが、作業台は設置スペースを要するし、現場によっては作業台を設置できないような場合もある。
【０００９】
そこで本発明は、このような問題点を解決する事をその課題としてなされたものである
【課題を解決するための手段】
【００１０】
上記課題を解決するべく、本願発明は、足で踏みつけるための踏付板と、パイプレンチの柄を支持するための支持部と、を備え、該支持部は、前記踏付板を踏み付けた際、支持する前記パイプレンチが地面に接触しない角度で固定されていることを特徴とする。
【００１１】
要するに、支持部にパイプレンチを支持させた状態で踏付板を足で踏むと、当該支持したパイプレンチが地面に接触せずに地面から浮いた状態で保たれるのである。その結果、顎部が開いてしまうことを防止し、管を確実に挟持することができる。また、パイプレンチを支持部に支持させて踏付板を踏むだけなので、熟練工でなくとも容易にパイプレンチを地面から浮かせた状態に保つことができる。
【００１２】
また前記角度を調整可能とすることが望ましい。
【００１３】
このように構成すれば、様々なサイズや種類のパイプレンチに１台のスタンドで対応する事が可能となる。
【００１４】
また、前記支持部は、前記パイプレンチの柄の長さの略半分の位置まで差し込むことができる中空部材で構成することが望ましい。
【００１５】
このように構成すれば、パイプレンチの柄を中空部に差し込むだけでパイプレンチの支持が完了すると共に、柄の略半分の長さを使ってしっかり支持できることに加えて、不要に支持部の長さが長くならないので、パイプレンチ用スタンド全体の大きさをコンパクト且つ持ち運び容易に構成することができる。  
【発明の効果】
【００１６】
本発明を適用することで、管を挟持したパイプレンチを足で容易に固定することができる。
【図面の簡単な説明】
【００１７】
【図１】（ａ）が本発明に係るパイプレンチ用スタンドの正面側斜視図、（ｂ）が同平面図である。
【図２】パイプレンチを支持している状態を示した側面図である。
【図３】本発明に係るパイプレンチ用スタンドを利用して配管を取り外している状態を示した図である。
【図４】パイプレンチの全体図である。
【図５】パイプレンチを足で踏んで固定しながら配管を接続している状態を示した図である。
【発明を実施するための形態】
【００１８】
以下、添付図面を参照しつつ、本発明の実施形態の一例であるパイプレンチ用スタンド１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１９】
〈パイプレンチ用スタンドの構成〉
図１に示しているように、本発明に係るパイプレンチ用スタンド１００は、略三角形状に形成された踏付板１０２と、当該踏付板１０２の一辺に沿うように取り付けられた角筒状の支持部１０４とからなる。この支持部１０４の後端（図１（ａ）において奥方向）は踏付板１０２に直接溶接されて固定される一方、支持部１０４の前端側（図１（ａ）において手前方向）は角度付与板１０８を介して踏付板１０２に溶接固定されている。その結果、支持部１０４は踏付板１０２に対して前端側が斜め上方を向いて所定の角度θ（図２参照）を形成するように固定されている。各部は２ｍｍ厚程度の鉄板で構成される。また図２（ｂ）に示すように、概略幅Ｗが１８０ｍｍ程度、奥行きＤが１２０ｍｍ程度の大きさとされている。
【００２０】
支持部１０４は中空部１０６を備えた角筒であり、ちょうどパイプレンチ１の柄３の長さの半分程度まで挿入すると、パイプレンチ１の柄３の厚みによってそれ以上挿入できない程度のサイズとされている。
【００２１】
支持部１０４と踏付板１０２とで形成される角度θは、当該支持部１０４にパイプレンチ１の柄３を差し込んで踏付板１０２を踏み付けると、支持するパイプレンチ１が地面に接触しない角度となるように構成されている。即ち、支持したパイプレンチ１が地面に接触せずに地面から浮いた状態で保たれる角度に構成されている。なお、支持部１０４に挿入するパイプレンチ１は、管を挟持する本体刃４と顎刃７が上方を向くように、即ち、パイプレンチ本体部２の下方に顎支持部５や顎６が位置するような向きで挿入支持される。
【００２２】
また上記では角度θが固定された構成となっているが、例えば、支持部１０４の後端と踏付板１０２とを蝶番などで回動可能に固定すると共に、支持部１０４の前端側を上下に移動させて蝶ネジ等で所望の角度に固定可能に構成してもよい。これによりパイプレンチのサイズや種類に応じて角度θを変化させることができ、一台のスタンドで種々のパイプレンチに対応することが可能となる。
【００２３】
〈パイプレンチ用スタンドの作用・機能〉
パイプレンチ１の柄３をパイプレンチ用スタンド１の支持部１０４に挿入した上で、固定したい管２０を挟持させる。その状態で踏付板１０２を左右何れかの足で踏んで固定する。これにより、パイプレンチ１は管２０を挟持しながら地面から浮いた状態で保たれる。その結果、（顎部６の根元が地面に接触して）顎部６が開いてしまうことを防止され、管２０を確実に挟持し続けることができる。また、パイプレンチ１を支持部１０４に挿入して踏付板１０２を踏むだけなので、熟練工でなくとも容易にパイプレンチ１を地面から浮かせた状態に保つことができる。
【００２４】
このように、本発明に係るパイプレンチ用スタンド１００を利用して足で固定したパイプレンチ１で管２０を簡単確実に固定する事ができるので、例えば図３に示しているようにもう一本のパイプレンチ１を使って管２０の一部を取り外したり、また、他の管を接続する等の作業を容易に行うことができる。
【符号の説明】
【００２５】
１・・・パイプレンチ
２・・・本体部
３・・・柄
４・・・本体刃
５・・・顎支持部
６・・・顎部
７・・・顎刃
８・・・ネジ溝
９・・・顎位置調整ネジ
１０・・・回動支持ピン
１００・・・パイプレンチ用スタンド
１０２・・・踏付板
１０４・・・支持部
１０６・・・中空部
１０８・・・角度付与板
【図１】
0005543503.tif 000002
【図２】
0005543503.tif 000003
【図３】
0005543503.tif 000004
【図４】
0005543503.tif 000005
【図５】
0005543503.tif 000006